(57)【要約】【課題】店頭での陳列時に、積み重ねがしやすく展示効果が良好であり、使用時に、中身が減少しても腰砕けがなく、中身の詰替えやすい自立性軟包装袋を提供する。【解決手段】プラスチックフィルムからなる角状の袋本体１００の上端中央位置に、口栓２００が突設する自立性軟包装袋１０であり、袋本体の内容物収容スペース１２０が前側フィルム１０１と後側フィルムと左側折込フィルムと右側折込フィルム１０４とから形成され、この内容物収容スペースの胴部の四隅にエアバッグ付シール部１０８，１０９，１１１を形成し、内容物を内容物収納スペースに充填するまえに、エアバッグ部１３１，１３２，１３４に気体又は液体を封入し、エアバッグ付シール部に剛性を付与して自立性を増す。【選択図】図１
2006240651.tif 000002
【特許請求の範囲】
【請求項１】
単層又は多層のプラスチックフィルムからなる角状の袋本体の上端中央位置に、口栓が突設する自立性軟包装袋であって、袋本体の内容物収容スペースが前側フィルムと後側フィルムと左側折込フィルムと右側折込フィルムとから形成され、この内容物収容スペースの胴部の四隅にエアバッグ付シール部を形成し、内容物を内容物収納スペースに充填するまえに、エアバッグ部に気体又は液体を封入して自立性を付与させたことを特徴とする自立性軟包装袋。
【請求項２】
単層又は多層のプラスチックフィルムからなる角状の袋本体の上端中央位置に、口栓が突設する自立性軟包装袋であって、袋本体は、前側フィルムと後側フィルムと左側折込フィルムと右側折込フィルムとからなり、上端縁部の中央部は、前側フィルムと後側フィルムとに口栓が熱融着し、上端縁部の左側は、前側フィルムと左側折込フィルムと後側フィルムを熱融着して左上端シール部を形成し、上端縁部の右側は、前側フィルムと左側折込フィルムと後側フィルムとを熱融着して右上端シール部を形成し、左端縁部の前側は、前側フィルムと左側折込フィルムとを、胴部対応位置に縦のエアバッグ部をほぼ中央位置に形成させて熱融着して、エアバッグ付左端前側シール部を形成し、左端縁部の後側は、左側折込フィルムと後側フィルムとを、胴部対応位置に縦のエアバッグ部をほぼ中央位置に形成させて熱融着して、エアバッグ付左端後側シール部を形成し、右端縁部の前側は、前側フィルムと右側折込フィルムとを、胴部対応位置に縦のエアバッグ部をほぼ中央位置に形成させて熱融着して、エアバッグ付右端前側シール部を形成し、右側縁部の後側は、右側折込フィルムと後側フィルムとを、胴部対応位置に縦のエアバッグ部をほぼ中央位置に形成して熱融着して、エアバッグ付右端後側シール部を形成し、下端縁部の左前側は、前側フィルムと左側折込フィルムを熱融着して左下端前側シール部を形成し、下端縁部の左後側は、左側折込フィルムと後側フィルムを熱融着して左下端後側シール部を形成し、下端縁部の中央部は、前側フィルムと後側フィルムとを熱融着して中央下端シール部を形成し、下端縁部の右前側は、前側フィルムと右側折込フィルムとを熱融着して右下端前側シール部を形成し、下端縁部の右後側は、右側折込フィルムと後側フィルムとを熱融着して右下端後側シール部を形成して、内容物収納スペースを内側に形成し、この内容物収納スペースに内容物を充填するまえに、エアバッグ付シール部のエアバッグ部に気体又は液体を封入して自立性を付与させたことを特徴とする自立性軟包装袋。
【請求項３】
単層又は多層のプラスチックフィルムからなる角状の袋本体の上端中央位置に、キャップがスパウトに螺着する口栓が突設する自立性軟包装袋であって、袋本体は、一枚のフィルムの両端縁部を重ね合わせて折り畳んで熱融着して縦背シール部を形成し、この縦背シール部を後側の中央位置として、左右両端部を折り込んで、前側フィルム部、左側折込フィルム部、後側フィルム部、右側折込フィルム部を形成し、上端縁部の中央部は、前側フィルムと後側フィルムとに口栓が熱融着し、上端縁部の左側は、前側フィルム部と左側折込フィルム部と後側フィルム部とを熱融着して左上端シール部を形成し、上端縁部の右側は、前側フィルム部と左側折込フィルム部と後側フィルム部とを熱融着して右上端シール部を形成し、左端縁部の前側は、前側フィルム部と左側折込フィルム部とを、胴部対応位置に縦のエアバッグ部を左端に形成させて熱融着して、エアバッグ付左端前側シール部を形成し、左端縁部の後側は、左側折込フィルム部と後側フィルム部とを、胴部対応位置に縦のエアバッグ部を左端に形成させて熱融着して、エアバッグ付左端後側シール部を形成し、右端縁部の前側は、前側フィルム部と右側折込フィルム部とを、胴部対応位置に縦のエアバッグ部を右端に形成させて熱融着して、エアバッグ付右端前側シール部を形成し、右側縁部の後側は、右側折込フィルム部と後側フィルム部とを、胴部対応位置に縦のエアバッグ部を右端に形成させて熱融着して、エアバッグ付右端後側シール部を形成し、下端縁部の左前側は、前側フィルム部と左側折込フィルム部とを熱融着して左下端前側シール部を形成し、下端縁部の左後側は、左側折込フィルム部と後側フィルム部とを熱融着して
左下端後側シール部を形成し、下端縁部の中央部は、前側フィルム部と後側フィルム部とを熱融着して中央下端シール部を形成し、下端縁部の右前側は、前側フィルム部と右側折込フィルム部とを熱融着して右下端前側シール部を形成し、下端縁部の右後側は、右側折込フィルム部と後側フィルム部とを熱融着して右下端後側シール部を形成して、内容物収納スペースを内側に形成し、この内容物収納スペースに内容物を充填するまえに、エアバッグ付シール部のエアバッグ部に気体又は液体を封入して自立性を付与させたことを特徴とする自立性軟包装袋。
【発明の詳細な説明】
【技術分野】
【０００１】
本発明は、液体、粉体や粒体などの内容物を収納するプラスチックフィルムからなる自立性軟包装袋に関するものである。
【背景技術】
【０００２】
従来、プラスチックフィルムからなる自立性軟包装袋としては、いわゆるスタンディングパウチと称されるものがある。このパウチは、内容物を収納したときに自立性を有するものであり、表裏の側壁部を形成するフィルムの下端部間に、別個の底部を形成するフィルムを折り込んで、左右両側縁部を熱融着し、底部の周縁部を表裏の側壁下端部に下向きの円弧状に熱融着して製袋したものと、一枚のフィルムを使用し、表裏の側壁部を形成するフィルム部分の下端部に、底部を形成するフィルム部分を折り込んで、表裏の側壁部と底部の左右両側縁部を熱融着して製袋したものとがあった。このスタンディングパウチは、圧縮性やフレキシブル性にすぐれ、製造コストが比較的に安価であるため、詰替え用容器から再封が可能な口栓付容器まで、広い分野に使用されていた。まお、ＰＥＴボトルなどの剛性を有する容器は、成形や充填工程において大規模な設備を必要とし、また、液体用紙容器は、外形を保持のために高価な紙にフィルムを張り合わせてをり、製造コストが比較的に高価であった。
【発明の開示】
【発明が解決しようとする課題】
【０００３】
しかしながら、上述した従来のスタンディングパウチに代表される自立性軟包装袋は、店頭に陳列されたときに、腰が弱いため積み重ねや展示効果などに問題を生じたり、また、使用しているときに、中身の減少にともない腰砕けを生じたり、中身の詰替え時に、両手保持が必要となるなどの問題があった。
【０００４】
本発明は、上述の従来の自立性軟包装袋の腰砕けの問題点を解決したものであり、店頭での陳列時に、積み重ねが容易で展示効果が良好であり、使用時に、中身が減少しても腰砕けがなく、中身が詰替えやすい自立性軟包装袋を提供するものである。
【課題を解決するための手段】
【０００５】
すなわち、本発明の第１の発明は、単層又は多層のプラスチックフィルムからなる角状の袋本体の上端中央位置に、口栓が突設する自立性軟包装袋であって、袋本体の内容物収容スペースが前側フィルムと後側フィルムと左側折込フィルムと右側折込フィルムとから形成され、この内容物収容スペースの胴部の四隅にエアバッグ付シール部を形成し、内容物を内容物収納スペースに充填するまえに、エアバッグ部に気体又は液体を封入して自立性を付与させたことを特徴とする自立性軟包装袋である。
【０００６】
次に、本発明の第２の発明は、単層又は多層のプラスチックフィルムからなる角状の袋本体の上端中央位置に、口栓が突設する自立性軟包装袋であって、袋本体は、前側フィルムと後側フィルムと左側折込フィルムと右側折込フィルムとからなり、上端縁部の中央部は、前側フィルムと後側フィルムとに口栓が熱融着し、上端縁部の左側は、前側フィルムと左側折込フィルムと後側フィルムを熱融着して左上端シール部を形成し、上端縁部の右側は、前側フィルムと左側折込フィルムと後側フィルムとを熱融着して右上端シール部を形成し、左端縁部の前側は、前側フィルムと左側折込フィルムとを、胴部対応位置に縦のエアバッグ部をほぼ中央位置に形成させて熱融着して、エアバッグ付左端前側シール部を形成し、左端縁部の後側は、左側折込フィルムと後側フィルムとを、胴部対応位置に縦のエアバッグ部をほぼ中央位置に形成させて熱融着して、エアバッグ付左端後側シール部を
形成し、右端縁部の前側は、前側フィルムと右側折込フィルムとを、胴部対応位置に縦のエアバッグ部をほぼ中央位置に形成させて熱融着して、エアバッグ付右端前側シール部を形成し、右側縁部の後側は、右側折込フィルムと後側フィルムとを、胴部対応位置に縦のエアバッグ部をほぼ中央位置に形成して熱融着して、エアバッグ付右端後側シール部を形成し、下端縁部の左前側は、前側フィルムと左側折込フィルムを熱融着して左下端前側シール部を形成し、下端縁部の左後側は、左側折込フィルムと後側フィルムを熱融着して左下端後側シール部を形成し、下端縁部の中央部は、前側フィルムと後側フィルムとを熱融着して中央下端シール部を形成し、下端縁部の右前側は、前側フィルムと右側折込フィルムとを熱融着して右下端前側シール部を形成し、下端縁部の右後側は、右側折込フィルムと後側フィルムとを熱融着して右下端後側シール部を形成して、内容物収納スペースを内側に形成し、この内容物収納スペースに内容物を充填するまえに、エアバッグ付シール部のエアバッグ部に気体又は液体を封入して自立性を付与させたことを特徴とする自立性軟包装袋である。
【０００７】
そして、本発明の第３の発明は、単層又は多層のプラスチックフィルムからなる角状の袋本体の上端中央位置に、キャップがスパウトに螺着する口栓が突設する自立性軟包装袋であって、袋本体は、一枚のフィルムの両端縁部を重ね合わせて折り畳んで熱融着して縦背シール部を形成し、この縦背シール部を後側の中央位置として、左右両端部を折り込んで、前側フィルム部、左側折込フィルム部、後側フィルム部、右側折込フィルム部を形成し、上端縁部の中央部は、前側フィルムと後側フィルムとに口栓が熱融着し、上端縁部の左側は、前側フィルム部と左側折込フィルム部と後側フィルム部とを熱融着して左上端シール部を形成し、上端縁部の右側は、前側フィルム部と左側折込フィルム部と後側フィルム部とを熱融着して右上端シール部を形成し、左端縁部の前側は、前側フィルム部と左側折込フィルム部とを、胴部対応位置に縦のエアバッグ部を左端に形成させて熱融着して、エアバッグ付左端前側シール部を形成し、左端縁部の後側は、左側折込フィルム部と後側フィルム部とを、胴部対応位置に縦のエアバッグ部を左端に形成させて熱融着して、エアバッグ付左端後側シール部を形成し、右端縁部の前側は、前側フィルム部と右側折込フィルム部とを、胴部対応位置に縦のエアバッグ部を右端に形成させて熱融着して、エアバッグ付右端前側シール部を形成し、右側縁部の後側は、右側折込フィルム部と後側フィルム部とを、胴部対応位置に縦のエアバッグ部を右端に形成させて熱融着して、エアバッグ付右端後側シール部を形成し、下端縁部の左前側は、前側フィルム部と左側折込フィルム部とを熱融着して左下端前側シール部を形成し、下端縁部の左後側は、左側折込フィルム部と後側フィルム部とを熱融着して左下端後側シール部を形成し、下端縁部の中央部は、前側フィルム部と後側フィルム部とを熱融着して中央下端シール部を形成し、下端縁部の右前側は、前側フィルム部と右側折込フィルム部とを熱融着して右下端前側シール部を形成し、下端縁部の右後側は、右側折込フィルム部と後側フィルム部とを熱融着して右下端後側シール部を形成して、内容物収納スペースを内側に形成し、この内容物収納スペースに内容物を充填するまえに、エアバッグ付シール部のエアバッグ部に気体又は液体を封入して自立性を付与させたことを特徴とする自立性軟包装袋である。
【発明の効果】
【０００８】
本発明の自立性軟包装袋は、内容物収納スペースに内容物を充填するまえに、内容物収納スペースの四隅に形成されているエアバッグ付左端前側シール部とエアバッグ付左端後側シール部とエアバッグ付右端前側シール部とエアバッグ付右端後側シール部のエアバッグ部に、気体又は液体を封入すると、エアバッグ付シール部に剛性を付与することができ、口栓のキャップを螺脱してスパウトから内容物を内容物収納スペースに充填し、キャップをスパウトに螺着して密封し、底部を下にして置いたときに、内容物収納スペースの四隅の剛性を付与されたエアバッグ付左端前側シール部とエアバッグ付左端後側シール部とエアバッグ付右端前側シール部とエアバッグ付右端後側シール部によってしっかりと自立する。この結果、店頭に陳列したときに、荷崩れがなく積み重ねやすく、展示効果も良好
であり、使用しているときに、中身が減少しても腰砕けすることが少ない。また、中身の詰替えがしやすい。
【発明を実施するための最良の形態】
【０００９】
次に、本発明の自立性軟包装袋の実施形態について、図を用いて詳細に説明する。
【００１０】
本実施形態の自立性軟包装袋（１０）は、図１に示すように、単層又は多層のプラスチックフィルムからなる角状のガゼット袋の袋本体（１００）の上端中央位置に、口栓（２００）が突設するものである。袋本体の内容物収容スペース（１２０）が、前側フィルム（１０１）と後側フィルム（１０２は図示せず）と左側折込フィルム（１０３は図示せず）と右側折込フィルム（１０４）とから形成されており、この内容物収容スペースの胴部対応位置の四隅に、縦のエアバッグ部（１３１，１３３，１３４，なお、１３２は図示せず）を形成したエアバッグ付左端前側シール部（１０８）とエアバッグ付左端後側シール部（１１０は図示せず）とエアバッグ付右端前側シール部（１０９）とエアバッグ付右端後側シール部（１１１）とが形成されており、内容物を内容物収納スペースに充填するまえに、これらのエアバッグ付シール部のエアバッグ部に気体又は液体を封入して、自立性を付与させるものである。
【００１１】
実施形態１の自立性軟包装袋（１０）は、図２（ｂ）に示すように、単層又は多層のプラスチックフィルムからなる角状の袋本体（１００）の上端中央位置に、キャップ（２０１）がスパウト（２０２）に螺着する口栓（２００）が突設するものである。そして、図２（ａ）乃至（ｄ）に示すように、袋本体（１００）は、前側フィルム（１０１）と後側フィルム（１０２）と左側折込フィルム（１０３）と右側折込フィルム（１０４）とからなり、上端縁部の中央部（１０５）は、スパウト（２０２）の外周面に前側フィルムの内面と後側フィルムの内面が熱融着し、上端縁部の左側は、前側フィルムと左側折込フィルムと後側フィルムの合わせ面を熱融着して、左上端シール部（１０６）を形成し、上端縁部の右側は、前側フィルムと左側折込フィルムと後側フィルムの合わせ面を熱融着して、右上端シール部（１０７）を形成し、左端縁部の前側は、前側フィルムの内面と左側折込フィルムの内面とを、胴部対応位置に縦のエアバッグ部（１３１）をほぼ左右方向の中央位置に形成させて熱融着し、エアバッグ付左端前側シール部（１０８）を形成し、左端縁部の後側は、左側折込フィルムの内面と後側フィルムの内面とを、胴部対応位置に縦のエアバッグ部（１３３は図示せず）をほぼ左右方向の中央位置に形成して熱融着し、エアバッグ付左端後側シール部（１１０は図示せず）を形成し、右端縁部の前側は、前側フィルムの内面と右側折込フィルムの内面とを、胴部対応位置に縦のエアバッグ部（１３２）をほぼ左右方向の中央位置に形成して熱融着し、エアバッグ付右端前側シール部（１０９）を形成し、右側縁部の後側は、右側折込フィルムの内面と後側フィルムの内面とを、胴部対応位置に縦のエアバッグ部（１３４は図示せず）を左右方向の中央位置に形成して熱融着し、エアバッグ付右端後側シール部（１１１）を形成し、下端縁部の左前側は、前側フィルムの内面と左側折込フィルムの内面とを熱融着して、左下端前側シール部（１１２）を形成し、下端縁部の左後側は、左側折込フィルムの内面と後側フィルムの内面とを熱融着して、左下端後側シール部（１１５は図示せず）を形成し、下端縁部の中央部は、前側フィルムの内面と後側フィルムの内面とを熱融着して、中央下端シール部（１１４）を形成し、下端縁部の右前側は、前側フィルムの内面と右側折込フィルムの内面とを熱融着して、右下端前側シール部（１１３）を形成し、下端縁部の右後側は、右側折込フィルムの内面と後側フィルムの内面とを熱融着して、右下端後側シール部（１１６は図示せず）を形成して、内容物収納スペース（１２０図示せず）を内側に形成するものである。そして、この内容物収納スペースに内容物を充填するまえに、エアバッグ付シール部のエアバッグ部に気体又は液体を封入して自立性を付与するものである。
【００１２】
実施形態２の自立性軟包装袋（１０）は、図３（ｂ）に示すように、単層又は多層のプ
ラスチックフィルムからなる角状の袋本体（１００）の上端中央位置に、キャップ（２０１）がスパウト（２０２）に螺着する口栓（２００）が突設するものである。そして、図３（ａ）乃至（ｄ）に示すように、袋本体（１００）は、一枚のフィルムの両端縁部の内面を重ね合わせて折り畳んで熱融着して、縦背シール部（１１７）を形成し、この縦背シール部を中央位置として、左右両端部を折り込んで、前側フィルム部（１０１）、左側折込フィルム部（１０３）、後側フィルム部（１０２）、右側折込フィルム部（１０４）を形成し、上端縁部の中央部（１０５）は、スパウト（２０２）の外周面に前側フィルム部の内面と後側フィルム部の内面が熱融着し、上端縁部の左側は、前側フィルム部と左側折込フィルム部と後側フィルム部の合わせ面を熱融着して、左上端シール部（１０６）を形成し、上端縁部の右側は、前側フィルム部と左側折込フィルム部と後側フィルム部の合わせ面を熱融着して、右上端シール部（１０７）を形成し、左端縁部の前側は、前側フィルム部の内面と左側折込フィルム部の内面とを、胴部対応位置に縦のエアバッグ部（１３１は図示せず）を左端に形成させて熱融着し、エアバッグ付左端前側シール部（１０８は図示せず）を形成し、左端縁部の後側は、左側折込フィルム部の内面と後側フィルム部の内面とを、胴部対応位置に縦のエアバッグ部（１３３）を左端に形成させて熱融着し、エアバッグ付左端後側シール部（１１０）を形成し、右端縁部の前側は、前側フィルム部の内面と右側折込フィルム部の内面とを、胴部対応位置に縦のエアバッグ部（１３２）を右端に形成させて熱融着し、エアバッグ付右端前側シール部（１０９は図示せず）を形成し、右側縁部の後側は、右側折込フィルム部の内面と後側フィルム部の内面とを、胴部対応位置に縦のエアバッグ部（１３４）を右端に形成させて熱融着し、エアバッグ付右端後側シール部（１０６）を形成し、下端縁部の左前側は、前側フィルム部の内面と左側折込フィルム部の内面とを熱融着し、左下端前側シール部（１１２は図示せず）を形成し、下端縁部の左後側は、左側折込フィルム部の内面と後側フィルム部の内面とを熱融着し、左下端後側シール部（１１５）を形成し、下端縁部の中央部は、前側フィルム部の内面と後側フィルム部の内面とを熱融着し、中央下端シール部（１１４）を形成し、下端縁部の右前側は、前側フィルム部の内面と右側折込フィルム部の内面とを熱融着し、右下端前側シール部（１１３は図示せず）を形成し、下端縁部の右後側は、右側折込フィルム部の内面と後側フィルム部の内面とを熱融着し、右下端後側シール部（１１６）を形成して、内容物収納スペースを内側に形成し、この内容物収納スペースに内容物を充填するまえに、エアバッグ付シール部のエアバッグ部に気体又は液体を封入して自立性を付与するものである
なお、上述した実施形態１の自立性軟包装袋及び実施形態２の自立性軟包装袋は、エアバッグ付左端前側シール部とエアバッグ付左端後側シール部とエアバッグ付右端前側シール部とエアバッグ付右端後側シール部に形成されているエアバッグ部に、気体又は液体を封入して剛性を付与し、内容物をスパウトから内容物収納スペースに充填してキャップで密封すると、エアバッグ付左端前側シール部とエアバッグ付左端後側シール部とエアバッグ付右端前側シール部とエアバッグ付右端後側シール部によってしっかりと自立し、店頭で積み重ねやすく、展示効果も良好であった。また、中身が減少しても腰砕けすることがなかった。
【図面の簡単な説明】
【００１３】
【図１】本発明の一実施形態の自立性軟包装袋に、内容物を収納したときの斜視図である。
【図２】（ａ）は、本発明の実施形態１の自立性軟包装袋の平面図であり、（ｂ）は、その正面図であり、（ｃ）は、底面図であり、（ｄ）は、右側面図である。
【図３】（ａ）は、本発明の実施形態２の自立性軟包装袋の平面図であり、（ｂ）は、その背面図であり、（ｃ）は、底面図であり、（ｄ）は、左側面図である。
【符号の説明】
【００１４】
１０……自立性軟包装袋
１００……袋本体
１０１……前側フィルム，前側フィルム部
１０２……後側フィルム，後側フィルム部
１０３……左側折込フィルム，左側折込フィルム部
１０４……右側折込フィルム，右側折込フィルム部
１０５……上端縁部の中央部
１０６……左上端シール部
１０７……右上端シール部
１０８……エアバッグ付左端前側シール部
１０９……エアバッグ付右端前側シール部
１１０……エアバッグ付左端後側シール部
１１１……エアバッグ付右端後側シール部
１１２……左下端前側シール部
１１３……右下端前側シール部
１１４……中央下端シール部
１１５……左下端後側シール部
１１６……右下端後側シール部
１１７……縦背シール部
１２０……内容物収納スペース
１３１，１３２，１３３，１３４……エアバッグ部
２００……口栓
２０１……キャップ
２０２……スパウト
【図１】
2006240651.tif 000003
【図２】
2006240651.tif 000004
【図３】
2006240651.tif 000005